【事件の表示】
　平成　５年特許願第２９１３９８号「分散複写システム」拒絶査定に対する審判事件［平成　７年　５月１２日出願公開、特開平　７−１２１３３２］について、次のとおり審決する。
【結　論】
　本件審判の請求は、成り立たない。
【理　由】
  
１．手続の経緯・本願発明
  本願は、平成５年10月27日の特許出願であって、その請求項１に係る発明は、平成10年４月９日付け、平成11年２月５日付け、平成13年10月11日付け、及び、平成14年１月25日付けの手続補正書により補正された明細書の特許請求の範囲の請求項１に記載された次のとおりのものである（以下、「本願発明」という。）。
 「【請求項１】　複写指示内容を示すデータおよび画像データを含む複写ジョブ情報を受け取って前記複写指示内容にしたがった印刷出力を行うプリンタ装置をネットワーク上に分散してなるネットワーク環境において、前記プリンタ装置を指定して前記複写ジョブ情報を送信して印刷出力させる分散複写システムにおけるエンドシステムであって、
　複写処理に関する制御情報を入力するための操作手段と、
　表示手段と、
　紙原稿の画像を読み取る画像読み取り手段と、
　制御手段とを有し、
　前記制御手段は、
　複写処理内容を指示するための複写機パネルウインドウを表示手段に表示し、
　前記複写パネルウインドウにおいて前記操作手段によって入力された複写処理内容を示すデータを受け取り、
　前記操作手段により複写開始が指示されると前記画像読み取り手段により紙原稿の読み取りを行い、
　読み取った画像データと前記複写内容を示すデータとを含む前記複写ジョブ情報を生成して前記指定したプリンタ装置に送信することを特徴とするエンドシステム。」
　
２．引用例に記載された発明
  これに対し、当審において平成13年11月12日付けで通知した拒絶の理由において引用した特開昭63-82557号公報（昭和63年４月13日公開、以下、「引用例１」という。）は、オフィスオートメーションにおけるデータ処理装置に関するもので、イメージスキャナとプリンタを選択的にかつ有機的に結合して複写機としての機能を実現することを目的として、次の発明が記載されているものと認める。
　
　表示画面上の任意の位置を指定する座標入力機構により表示画面上における指定位置の表示内容に固有の情報を入力するマウス６と、
　文書及びイメージを表示するCRTディスプレイ装置８と、
　イメージ情報を入力するイメージスキャナ（IS）14と、
　前記イメージスキャナより入力されたイメージ情報を保存する外部記憶装置（FDD）10とイメージを含む文書を印刷するプリンタ（PRT）12とを有し、
　装置全体の制御を司るCPU１と、内部バスを介してCPUに接続され、CPUの制御の下に対象となる入出力機器をコントロールする、キーボードコントローラ４、ディスプレイコントローラ７、外部記憶装置コントローラ９、プリンタコントローラ11、及びスキャナコントローラ13とを含み、
　前記マウスを操作し前記表示画面上で複写機アイコンを選択して複写機モードを指示し、前記表示画面上にメニューバー（MB）502を表示し、同メニューバーのコマンドを前記マウスを用い選択することによりプルダウンメニュー（PDM）503を表示し、同プルダウンメニューを前記マウスを用い選択することにより複写機用プロパティシート（第14図）を表示し、
　前記プロパティシート上にてマウスによりコピー枚数、拡大／縮小等を設定し、
  前記イメージスキャナの原稿台にコピー原稿を載せ、前記イメージスキャナに設けられた入力開始スイッチ（複写機モード下におけるコピー開始スイッチ）Ｓを操作し、
　前記入力開始スイッチＳの操作に伴い前記イメージスキャナで読み取った情報を前記プリンタに送出して印刷する
  オフィスオートメーションにおけるデータ処理装置。
　
  同じく引用した特開平5-274096号公報（平成５年10月22日公開、以下、「引用例２」という。）は、情報処理における印刷制御装置に関するもので、ネットワーク接続された複数のプリンタが、ワークステーションの利用者のプリンタ出力要求に応じてプリントアウトすることを目的として、次の発明が記載されているものと認める。
　
  画像情報を受け取って印刷出力を行うプリンタP1、P2、P3、P4、P5をネットワーク上に分散してなるネットワーク環境において、前記プリンタを指定して前記画像情報を送信して印刷出力させる分散印刷システムにおけるワークステーション１であって、
　CRT４と、
　書画を読み取るスキャナ２と、
  システム制御部11と、システム制御部に接続され、システム制御部の制御の下に対象となる入出力機器等をコントロールする、スキャナI/F回路12、プリンタI/F回路13、表示制御部15と、
　通信回線６を介して外部からの画像情報を受信すると共に、外部との通信を制御する通信制御部17と、
　前記通信回線に対して送受信する圧縮画像情報、通信回線に対して送受信する制御情報を一時的に記憶するバッファメモリ19と、
　前記バッファメモリから出力された圧縮画像情報を伸長し、前記バッファメモリへ出力する画像情報を圧縮するための圧縮・伸長部16と、
　前記情報処理手段または前記圧縮・伸長部から得られた画像情報を一時的に記憶する画像メモリ18と、
　前記画像メモリに格納した前記画像情報及び／または各種制御情報を表示する表示部４と、
　前記画像メモリ内の画像情報を出力するためのプリンタＰと、
　前記プリンタの使用状態を管理するプリンタ使用状態管理部20と、
　前記画像情報を出力するプリンタを優先順位付きで複数台指定しておくプリンタ出力先設定テーブル21と
　前記画像情報を出力するとき、前記プリンタ出力先設定テーブルの優先順位の高い順にプリンタ使用状況を調査し、前記優先順位の高い未使用プリンタによって前記画像情報を出力すべく制御するプリンタ出力制御部と、
を具備する印刷制御装置を使用したワークステーション１。
　
　また、プリントアウトが終了すると、その旨を画像情報の送信先に返信することも示されている（段落〔0040〕を参照。）。
　
  また、同じく引用した特開平5-268288号公報（平成５年10月15日公開、以下、「引用例３」という。）は、通信装置のメモリリード・ライト方法に関するもので、次の発明が記載されているものと認める。
　
　１つのセンタ側通信装置が他の各通信装置に対して情報を送信して相手先通信装置のメモリにその情報を書き込んだり、そのメモリに格納された情報を読み出して上記センタ側通信装置が受信したりする通信装置のメモリリードライト方法において、
　上記センタ側通信装置は、上記各通信装置に対して上記情報を共通のデータフォーマットで送受信する一方、上記各通信装置は、受信する上記情報を自装置に適合するデータフォーマットに変換して自装置に定められている上記メモリの規定領域に書き込んだり、その規定領域から情報を読み出して上記共通のデータフォーマットに変換して送信したりすることを特徴とする通信装置のメモリリード・ライト方法。（請求項１の記載を参照。）
　
  さらに、同じく引用した特開平2-26178号公報（平成２年１月29日公開、以下、「引用例４」という。）は、ファクシミリ装置に関するもので、次の発明が記載されているものと認める。
　
　送信原稿の主走査方向と副走査方向の寸法を検知し識別信号を出力する原稿サイズ方向検知装置３と、前記送信原稿を前記識別信号が示す範囲で読み取ったデータを出力する原稿スキャン部４と、前記データを主走査方向が短く副走査方向が長く変換した送信データを送信制御部を介して回線に送信する縦横変換部５と、受信制御部８が前記回線から受信の送信データをセットされているプリント用紙の寸法に応じて拡大縮小して印刷させる印刷制御部９とを有するファクシミリ装置。（特許請求の範囲の欄の記載を参照。）
　
３．対　比
  本願発明と上記引用例１に記載された発明とを対比する。引用例１に記載された発明における「マウス」は、複写機アイコンを選択し、複写機モードを指示し、複写機用プロパティシート上にてマウスによりコピー枚数、拡大／縮小等を設定するものであるから、本願発明における「複写処理に関する制御情報を入力するための操作手段」に相当する。引用例１に記載された発明における「CRTディスプレイ装置」は、本願発明における「表示手段」に相当する。引用例１に記載された発明における「イメージスキャナ」は、コピー原稿を読み取るものであるから、本願発明における「画像読み取り手段」に相当する。引用例１に記載された発明における「CPU」、「キーボードコントローラ」、「ディスプレイコントローラ」、「外部記憶装置コントローラ」、「外部記憶装置コントローラ」、及び「スキャナコントローラ」は、装置の制御動作を実行するものであるから、本願発明における「制御手段」に相当する。引用例１に記載された発明における「複写機用プロパティシート」は、その上で複写処理内容であるコピー枚数、拡大／縮小等を指示するものであるから、本願発明における「複写機パネルウィンドウ」に相当する。引用例１に記載された発明における「入力開始スイッチ」は、複写開始を指示するものであり、入力開始スイッチの操作に伴い（すなわち複写開始が指示されると）イメージスキャナで読み取った情報（画像データ）を複写機用プロパティシート（複写機パネルウィンドウ）で設定した（複写内容の）とおりにプリンタに送出して印刷するものである。また、引用例１に記載された発明が対象とする「データ処理装置」は、一つのシステムを構成する点で本願発明が対象とする「エンドシステム」と共通するものである。そうすると、本願発明と上記引用例１に記載された発明とは、次の点で一致する。
　複写処理に関する制御情報を入力するための操作手段と、
　表示手段と、
　紙原稿の画像を読み取る画像読み取り手段と、
　制御手段とを有し、
　前記制御手段は、
　複写処理内容を指示するための複写機パネルウインドウを表示手段に表示し、
　前記複写パネルウインドウにおいて前記操作手段によって入力された複写処理内容を示すデータを受け取り、
　前記操作手段により複写開始が指示されると前記画像読み取り手段により紙原稿の読み取りを行い、
　読み取った画像データと前記複写内容を示すデータとをプリンタ装置に送信するシステム。
そして、次の点で相違する。
  本願発明が、複写指示内容を示すデータおよび画像データを含む複写ジョブ情報を受け取って前記複写指示内容にしたがった印刷出力を行うプリンタ装置をネットワーク上に分散してなるネットワーク環境において、前記プリンタ装置を指定して前記複写ジョブ情報を送信して印刷出力させる分散複写システムにおけるエンドシステムに関するものであるのに対し、引用例１に記載された発明は、データ処理装置というシステムに関するものであるが、複写ジョブ情報を受け取って印刷出力するプリンタ装置をネットワーク上に分散してなるネットワーク環境におけるエンドシステムに関するものとはいえない点。
　
４．当審の判断
  そこで、上記相違点について検討する。引用例１に記載された発明は、プロパティシート（複写機パネルウィンドウ）上にてマウス（操作手段）によりコピー枚数、拡大／縮小等を設定した複写指示内容（を示すデータ）およびイメージスキャナ（画像読み取り手段）で読み取ったイメージ情報（画像データ）をプリンタに送信し印刷出力させるオフィスオートメーションにおけるデータ処理装置（システム）に関するものである。また、引用例２に記載された発明は、ネットワークに接続され、画像情報を読み込むスキャナを備えたワークステーション（エンドシステム）の利用者が、ネットワークに接続された複数のプリンタの中から特定のプリンタを指定して印刷出力要求しプリントアウトするものであるから、引用例１に記載された発明が対象とするイメージスキャナ（画像読み取り手段）とプリンタを備えたデータ処理装置（システム）を、引用例２に記載された発明のようにエンドシステムとしてネットワークに接続し、複写指示内容（を示すデータ）及びイメージスキャナ（画像読み取り手段）で読み取ったイメージ情報（画像データ）を利用者がネットワークに接続された複数のプリンタの中から指定した特定のプリンタに送信して印刷出力するように構成することは当業者が容易に想到できたものである（なお、画像を読み込む複数のスキャナと複数のプリンタとをネットワークに接続し、画像データを送信し所定のプリンタにより印刷出力すること自体は本願出願前に周知の技術である（必要があれば、特開昭61-92072号公報、特公平2-21190号公報、及び特開平5-276290号公報を参照されたい）。）。その場合、プリンタに送出する複写指示内容を示すデータおよび画像データを単に一つのジョブ情報として構成することに何ら技術上の困難性はなく、当業者が適宜なし得た事項である。
  
　なお、請求人は、平成14年１月25日付けの意見書中で、本願発明における「複写ジョブ情報」について、複写機パネルウィンドウに対応して設計された仮想の複写機を前提とするスキームの複写ジョブであり、複写機パネルウィンドウが予定する仮想の複写機の機能についてのパラメータを指定するものであって、ある意味で本来の印刷ジョブの上の階層にある上位のジョブである旨も主張するが、本願の当初の明細書の段落【0017】には、「ジョブ生成部47は、このデータ（イメージデータのことであることは明らか）と、処理内容入力部45を介して入力された複写処理内容とを組合わせてジョブを生成し、ジョブ送出部49に供給する」と記載されているのみで、該ジョブが上記「複写ジョブ情報」のように仮想の複写機の機能についてのパラメータを指定することについては何ら記載若しくは示唆されていなかったものであり、また、プリンタ装置側には上記ジョブを受け取って複写処理に対応する処理を実行するようにアダプテーションを実装する必要があることについても何ら記載されていなかったものである。本願発明は、「複写ジョブ情報」については「複写内容を示すデータおよび画像データを含む」ものであると規定しているのみであり、引用例１に記載された発明も、イメージスキャナ（画像読み取り手段）で読み取った情報（画像データ）を複写機用プロパティシート（複写機パネルウィンドウ）で設定した複写指示内容のとおり、つまり画像データと複写指示内容を示すデータをプリンタに送出して印刷するものである点では本願発明と同様であり、この２つのデータをプリンタに送出する単に一つのジョブ情報として構成することに何ら技術上の困難性を見出せない。さらに、本願発明における「複写機ジョブ情報」を請求人主張のように一種の上位のジョブ情報と解したとしても、共通のフォーマットで他装置に送信し受信したデータを自装置に適合するフォーマットに変換して処理、印刷等することは引用例３、４に記載されているように周知の技術であるから、引用例１に記載された発明が対象とするデータ処理装置（システム）を、引用例２に記載された発明のようにエンドシステムとしてネットワークに接続し、複写指示内容（を示すデータ）及びイメージスキャナ（画像読み取り手段）で読み取ったイメージ情報（画像データ）を利用者がネットワークに接続された複数のプリンタの中から指定した特定のプリンタに送信して印刷出力しようとする場合、引用例３、４に記載された発明のように共通の形式のデータとして送出しプリンタ側で自装置に適した形式に変換して印刷することは当業者が適宜なし得た事項である。
　
５．むすび
  以上のとおりであるから、本願発明は、上記引用例１乃至引用例４に記載された発明に基づいて当業者が容易に発明をすることができたものと認められるので、特許法第29条第２項の規定により特許を受けることができない。
  よって、結論のとおり審決する。